(57)【要約】【課題】ユーザが心電図及び血圧の一方を測定した後に心電図及び血圧の他方を測定し忘れることを防止できる測定装置を提供する。【解決手段】一態様に係る測定装置は、ユーザの被測定部位に巻き付けられるベルト部と、前記ベルト部に設けられ、前記ユーザの心電図を測定する心電図測定部と、前記ベルト部に設けられ、前記ユーザの血圧を測定する血圧測定部と、前記心電図測定部による心電図測定が終了したことを検出する測定終了検出部と、前記心電図測定が終了したことを前記測定終了検出部が検出したことに応答して、前記血圧測定部による血圧測定を開始する血圧測定制御部と、を備える。【選択図】図１
2020028364.tif 000002
【特許請求の範囲】
【請求項１】
ユーザの心電図を測定する心電図測定部と、
前記ユーザの血圧を測定する血圧測定部と、
前記心電図測定部による心電図測定が終了したことを検出する測定終了検出部と、
前記心電図測定が終了したことを前記測定終了検出部が検出したことに応答して、前記血圧測定部による血圧測定を開始する血圧測定制御部と、
を備える測定装置。
【請求項２】
前記心電図測定が終了したことを前記測定終了検出部が検出したことに応答して、前記血圧測定を行うことを報知する報知部をさらに備える、請求項１に記載の測定装置。
【請求項３】
前記ユーザが前記血圧測定に適した姿勢になったことを検出する姿勢検出部をさらに備え、
前記血圧測定制御部は、前記心電図測定が終了したことを前記測定終了検出部が検出したこと、及び前記ユーザが前記血圧測定に適した姿勢になったことを前記姿勢検出部が検出したことに応答して、前記血圧測定を開始する、請求項１又は２に記載の測定装置。
【請求項４】
前記心電図測定が終了してから所定期間が経過するまでに、前記ユーザが前記血圧測定に適した姿勢になったことを前記姿勢検出部が検出しなかったときに、前記血圧測定に適した姿勢をとるよう前記ユーザに指示する指示部をさらに備える、請求項３に記載の測定装置。
【請求項５】
ユーザの心電図を測定する心電図測定部と、
前記ユーザの血圧を測定する血圧測定部と、
前記血圧測定部による血圧測定が終了したことを検出する測定終了検出部と、
前記血圧測定が終了したことを前記測定終了検出部が検出したことに応答して、前記心電図測定部による心電図測定を開始する心電図測定制御部と、
を備える測定装置。
【請求項６】
前記血圧測定が終了したことを前記測定終了検出部が検出したことに応答して、前記心電図測定を行うことを報知する報知部をさらに備える、請求項５に記載の測定装置。
【請求項７】
前記ユーザに装着される装着部材をさらに備え、
前記心電図測定部は、
前記装着部材の前記ユーザに接触する側の面に設けられた第１の電極と、
前記装着部材の前記ユーザに接触しない側の面に設けられた第２の電極と、
前記第１の電極と前記第２の電極との間の電位差に基づいて前記心電図を生成する心電図生成部と、
を備え、
前記測定装置は、
前記ユーザが前記第２の電極に接触したことを検出する接触検出部と、
前記血圧測定が終了してから所定期間が経過するまでに、前記ユーザが前記第２の電極に接触したことを前記接触検出部が検出しなかったときに、前記第２の電極に接触するよう前記ユーザに指示する指示部と、
をさらに備える、請求項５又は６に記載の測定装置。
【発明の詳細な説明】
【技術分野】
【０００１】
本発明の態様は、例えば、ユーザの心電図及び血圧を測定する測定装置に関する。
【背景技術】
【０００２】
例えば心血管疾患の診断又は治療のために、患者は、家庭で定期的に（例えば毎日の起床後と就寝前に）心電図及び血圧を測定することを医師から要請されることがある。心電図及び血圧の測定を忘れずに行うことが重要であり、患者は、例えば、測定すべき時刻にアラートが出力されるように、スマートフォンなどのユーザ端末装置にインストールされたスケジュール管理アプリケーションを使用する。また、血圧計などの測定装置において、測定すべき時刻にアラートを出力するアラート機能を有するものがある（例えば特許文献１を参照）。
【先行技術文献】
【特許文献】
【０００３】
【特許文献１】特開２００６−２６２１０号公報
【発明の概要】
【発明が解決しようとする課題】
【０００４】
上述した場合において、患者は、アラートに応答して心電図と血圧との一方を測定したものの、心電図と血圧との他方を測定し忘れてしまうことがある。
【０００５】
本発明は、上記の事情に着目してなされたものであり、ユーザが心電図及び血圧の一方を測定した後に心電図及び血圧の他方を測定し忘れることを防止することができる測定装置を提供することを目的とする。
【課題を解決するための手段】
【０００６】
本発明は、上記課題を解決するために、以下の構成を採用する。
【０００７】
一態様に係る測定装置は、ユーザの心電図を測定する心電図測定部と、前記ユーザの血圧を測定する血圧測定部と、前記心電図測定部による心電図測定が終了したことを検出する測定終了検出部と、前記心電図測定が終了したことを前記測定終了検出部が検出したことに応答して、前記血圧測定部による血圧測定を開始する血圧測定制御部と、を備える。
【０００８】
上記の構成によれば、ユーザが血圧測定の開始を指示することなしに、心電図測定が終了した後に血圧測定が開始される。このため、ユーザが心電図測定後に血圧測定をし忘れることを防止することができるようになる。さらに、測定装置はそれ単体で心電図と血圧の両方を測定することが可能であるので、ユーザにとって利便性が高い。
【０００９】
一態様では、前記測定装置は、前記心電図測定が終了したことを前記測定終了検出部が検出したことに応答して、前記血圧測定を行うことを報知する報知部をさらに備えてよい。
【００１０】
上記の構成によれば、ユーザは、血圧測定の開始を把握し、血圧測定のための準備を行うことが可能になる。例えば、ユーザは、報知を受けて血圧測定に適した姿勢をとる。
【００１１】
一態様では、前記測定装置は、前記ユーザが前記血圧測定に適した姿勢になったことを検出する姿勢検出部をさらに備えてよく、前記血圧測定制御部は、前記心電図測定が終了したことを前記測定終了検出部が検出したこと、及び前記ユーザが前記血圧測定に適した姿勢になったことを前記姿勢検出部が検出したことに応答して、前記血圧測定を開始してよい。
【００１２】
上記の構成によれば、ユーザが血圧測定に適した姿勢をとった状態で血圧測定を行うことが可能になる。その結果、信頼性の高い血圧測定値を得ることができるようになる。
【００１３】
一態様では、前記測定装置は、前記心電図測定が終了してから所定期間が経過するまでに、前記ユーザが前記血圧測定に適した姿勢になったことを前記姿勢検出部が検出しなかったときに、前記血圧測定に適した姿勢をとるよう前記ユーザに指示する指示部をさらに備えてよい。
【００１４】
上記の構成によれば、ユーザが血圧測定に適した姿勢をとった状態で血圧測定を行うことをより確実なものとすることができる。その結果、信頼性の高い血圧測定値をより確実に得ることができるようになる。
【００１５】
一態様に係る測定装置は、ユーザの心電図を測定する心電図測定部と、前記ユーザの血圧を測定する血圧測定部と、前記血圧測定部による血圧測定が終了したことを検出する測定終了検出部と、前記血圧測定が終了したことを前記測定終了検出部が検出したことに応答して、前記心電図測定部による心電図測定を開始する心電図測定制御部と、を備える。
【００１６】
上記の構成によれば、ユーザが心電図測定の開始を指示することなしに、血圧測定が終了した後に心電図測定が開始される。このため、ユーザが血圧測定後に心電図測定をし忘れることを防止することができるようになる。さらに、測定装置はそれ単体で心電図と血圧の両方を測定することが可能であるので、ユーザにとって利便性が高い。
【００１７】
一態様では、前記測定装置は、前記血圧測定が終了したことを前記測定終了検出部が検出したことに応答して、前記心電図測定を行うことを報知する報知部をさらに備えてよい。
【００１８】
上記の構成によれば、ユーザは、心電図測定の開始を把握し、心電図測定のための準備を行うことが可能になる。例えば、ユーザは、報知を受けて測定装置を装着していない手を心電図測定用の電極に接触させる。
【００１９】
一態様では、前記測定装置は、前記ユーザに装着される装着部材をさらに備えてよく、前記心電図測定部は、前記装着部材の前記ユーザに接触する側の面に設けられた第１の電極と、前記装着部材の前記ユーザに接触しない側の面に設けられた第２の電極と、前記第１の電極と前記第２の電極との間の電位差に基づいて前記心電図を生成する心電図生成部と、を備えてよく、前記測定装置は、前記ユーザが前記第２の電極に接触したことを検出する接触検出部と、前記血圧測定が終了してから所定期間が経過するまでに、前記ユーザが前記第２の電極に接触したことを前記接触検出部が検出しなかったときに、前記第２の電極に接触するよう前記ユーザに指示する指示部と、をさらに備えてよい。
【００２０】
上記の構成によれば、心電図測定をより確実に行うことができるようになる。
【発明の効果】
【００２１】
本発明によれば、ユーザが心電図及び血圧の一方を測定した後に心電図及び血圧の他方を測定し忘れることを防止することができる測定装置を提供することができる。
【図面の簡単な説明】
【００２２】
【図１】図１は、一実施形態に係る測定装置を示す図である。
【図２】図２は、第１の実施形態に係る測定装置の外観を示す斜視図である。
【図３】図３は、第１の実施形態に係る測定装置の断面図である。
【図４】図４は、第１の実施形態に係る測定装置の制御系のハードウェア構成を示す図である。
【図５】図５は、第１の実施形態に係る測定装置のソフトウェア構成を示す図である。
【図６】図６は、血圧測定に適した姿勢を示す図である。
【図７】図７は、第１の実施形態に係る心電図測定後に血圧測定を行う処理手順を示すフローチャートである。
【図８】図８は、第１の実施形態に係るオシロメトリック法による血圧測定の処理手順を示すフローチャートである。
【図９】図９は、オシロメトリック法による血圧測定におけるカフ圧と脈波信号との関係を示す図である。
【図１０】図１０は、第２の実施形態に係る測定装置のソフトウェア構成を示す図である。
【図１１】図１１は、第２の実施形態に係る血圧測定後に心電図測定を行う処理手順を示すフローチャートである。
【発明を実施するための形態】
【００２３】
以下、図面を参照しながら本発明の実施形態を説明する。
【００２４】
［適用例］
図１を参照して、本発明が適用される場面の一例について説明する。図１は、一実施形態に係る測定装置１０を例示する。測定装置１０は、例えばウェアラブルデバイスであり、図１の例ではユーザの左手首７０に装着される。測定装置１０は、ベルト部２０、心電図測定部３０、血圧測定部４０、測定終了検出部５０、及び血圧測定制御部６０を備える。
【００２５】
ベルト部２０は、ユーザの左手首７０に巻き付けられる部材であり、測定装置１０をユーザの左手首７０に装着するために使用される。ベルト部２０は、内周面及び外周面２１を有する。内周面は、ベルト部２０の表面のうち、測定装置１０がユーザの左手首７０に装着された状態でユーザの左手首７０に面する部分を指す。外周面２１は、ベルト部２０の表面のうち、内周面以外の部分を指す。言い換えると、内周面は、測定装置１０がユーザの左手首７０に装着された状態でユーザに接触する側の面であり、外周面２１は、測定装置１０がユーザの左手首７０に装着された状態でユーザ接触しない側の面である。ベルト部２０は、ユーザに装着される装着部材の一例である。
【００２６】
心電図測定部３０は、ベルト部２０に設けられ、ユーザの心電図を測定する。心電図は、心臓の電気的活動を表す波形信号である。本実施形態では、心電図測定部３０は、第１誘導と称される誘導法を使用する。すなわち、心電図測定部３０は、両上肢の間に生じた電位差に基づいて心電図を測定する。心電図測定部３０は、電極３１、電極３２、及び心電図生成部３３を備える。電極３１は、ベルト部２０の内周面に設けられており、測定装置１０がユーザの左手首７０に装着された状態でユーザの左手首７０に接触する。電極３２は、ベルト部２０の外周面２１に設けられており、測定装置１０がユーザの左手首７０に装着された状態でユーザの左手首７０に接触しない。心電図を測定する際には、ユーザは右手（例えば右手の人差し指）で電極３２に触れる。それにより、電極３１がユーザの左上肢に配置され、電極３２がユーザの右上肢に配置された状態が生成される。心電図生成部３３は、電極３１と電極３２との間の電位差に基づいて心電図を生成する。
【００２７】
血圧測定部４０は、ベルト部２０に設けられ、ユーザの血圧を測定する。血圧測定部４０は、空気の供給に基づいて左手首７０を押圧する押圧カフを備え、オシロメトリック法又はコロトコフ法に基づく血圧測定を行う。
【００２８】
測定終了検出部５０は、心電図測定部３０による測定が終了したことを検出する。心血管疾患の診断又は治療のために、所定期間（例えば３０秒間）の心電図のデータが必要とされることがある。測定終了検出部５０は、例えば、所定期間の心電図のデータが取得されたときに、心電図測定部３０による測定が終了したと判断する。言い換えると、測定終了検出部５０は、ユーザの右手が電極３２に接触してから所定期間が経過したときに、心電図測定部３０による測定が終了したと判断する。
【００２９】
血圧測定制御部６０は、血圧測定部４０を制御する。血圧測定制御部６０は、心電図測定部３０による測定が終了したことを測定終了検出部５０が検出したことに応答して、血圧測定部４０による測定を開始する。
【００３０】
上述した構成を有する測定装置１０では、ユーザが測定装置１０に対して血圧測定の指示を入力することなしに、心電図測定の後に続いて血圧測定が行われる。それにより、ユーザが心電図測定後に血圧測定をし忘れることを防止することができる。さらに、測定装置１０はそれ単体で心電図と血圧の両方を測定することができるので、ユーザにとって利便性が高い。
【００３１】
なお、測定装置１０は、血圧測定の後に続いて心電図測定を行うように構成されていてもよい。また、測定装置１０は、心電図測定に後続して血圧測定を行う動作モードと、血圧測定に後続して心電図測定を行う動作モードと、心電図測定を行う動作モードと、血圧測定を行う動作モードと、の間で、動作モードを切り替えることができるように構成されていてもよい。
【００３２】
以下に、実施形態に係る測定装置を詳細に説明する。第１の実施形態は、心電図測定に後続して血圧測定を行うように構成された測定装置に関し、第２の実施形態は、血圧測定に後続して心電図測定を行うように構成された測定装置に関する。
【００３３】
＜第１の実施形態＞
［構成例］
（ハードウェア構成）
図２から図４を参照して、第１の実施形態に係る測定装置１００のハードウェア構成の一例を説明する。
【００３４】
図２は、測定装置１００の外観を例示する斜視図である。図２に示されるように、測定装置１００は、腕時計型デバイスである。測定装置１００は、ユーザの左手首に装着するように設計されている。測定装置１００は、ベルト部１２０、表示装置１０６、入力装置１０７、電極１３１、及び電極１３２を備える。ベルト部１２０は、ベルト１２１、本体１２３、及び三つ折れバックル１２４を備える。
【００３５】
ベルト１２１は、ユーザの左手首を取り巻いて装着される帯状の部材を指し、バンドなどの別の名称で呼ばれることもある。ベルト１２１は、内周面１２１Ａ及び外周面１２１Ｂを有する。内周面１２１Ａは、ユーザが測定装置１００を装着した状態（以下、単に「装着状態」と称する）でユーザの左手首に面する表面であり、外周面１２１Ｂは、内周面１２１Ａと反対側の表面である。ベルト１２１の幅は、この例では約３０ｍｍに設定されている。幅は、ベルト１２１の幅方向における寸法を指す。ベルト１２１の幅方向は、矢印Ｙで示される左手首の長手方向に対応する。
【００３６】
本体１２３は、ベルト１２１の周方向における端部１２１Ｅに一体成形により設けられている。なお、ベルト１２１と本体１２３とを別々に形成し、係合部材（例えばヒンジなど）で本体１２３をベルト１２１に取り付けるようにしてもよい。この例では、本体１２３が配置されたベルト１２１の部分は、装着状態で左手首の手の甲側の面に位置することが予定されている。本体１２３は、ユーザの日常活動の邪魔にならないように、小型で、薄厚に形成されている。この例では、本体１２３は、ベルト１２１から外向きに突起した四角錐台状の輪郭を有している。
【００３７】
本体１２３の頂面１２３Ａには、表示装置１０６が設けられている。本体１２３の側面１２３Ｆに沿って入力装置１０７が設けられている。表示装置１０６及び入力装置１０７については後述する。
【００３８】
本体１２３の底面１２３Ｂは、バックル１２４によってベルト１２１の周方向における他方の端部１２１Ｆに接続される。バックル１２４は、第１の板状部材１２５、第２の板状部材１２６、連結棒１２７、連結棒１２８、及び固定部１２９を含む。第２の板状部材１２６は、第１の板状部材１２５よりも内周側に配置されている。第１の板状部材１２５の一方の端部１２５Ｅは、ベルト１２１の幅方向に沿って延びる連結棒１２７を介して本体１２３に対して回動自在に取り付けられている。第１の板状部材１２５の他方の端部１２５Ｆは、ベルト１２１の幅方向に沿って延びる連結棒１２８を介して第２の板状部材１２６の一方の端部１２６Ｆに対して回動自在に取り付けられている。第２の板状部材１２６の他方の端部１２６Ｅは、固定部１２９によってベルト１２１の端部１２１Ｆに固定されている。なお、ベルト１２１の周方向に関して固定部１２９の取り付け位置は、ユーザの左手首の周囲長に合わせて予め可変して設定されている。これにより、ベルト１２１は、全体として略環状に構成されるとともに、本体１２３の底面１２３Ｂとベルト１２１の端部１２１Ｆとが、バックル１２４によって矢印Ｂで示される方向に開閉可能になっている。
【００３９】
電極１３１は、ベルト１２１の端部１２１Ｅと端部１２１Ｆとの間において、ベルト１２１の内周面１２１Ａに設けられている。電極１３１は、例えば、板状又はシート状である。この例では、電極１３１は、ベルト１２１の周方向に長い形状を有する。それにより、装着状態で電極１３１がユーザの左手首に確実に接触するようになっている。なお、電極１３１は、バックル１２４の第２の板状部材１２６の内周面１２６Ａに配置されていてもよい。
【００４０】
電極１３２は、本体１２３の頂面１２３Ａに設けられている。それにより、装着状態で電極１３２がユーザの左手首に接触することがない。なお、電極１３２は、ベルト１２１の外周面１２１Ｂに設けられていてもよい。
【００４１】
測定装置１００をユーザの左手首に装着する際には、バックル１２４を開いてベルト１２１の環の径を大きくした状態で、矢印Ａにより示される向きに、ユーザがベルト１２１に左手を通す。本体１２３が左手首の手の甲側の面に位置した状態で、ユーザが、バックル１２４を閉じて固定する。このようにして、ユーザは測定装置１００を左手首に装着する。
【００４２】
図３は、装着状態での測定装置１００の断面を例示する。図３に示されるように、ベルト１２１は、帯状体１２２と、帯状体１２２の内周面に沿って取り付けられた押圧カフ１４１と、を含む。この例では、帯状体１２２は、プラスチック材料で形成されており、厚さ方向に関して可撓性を有し、かつ、周方向に関して実質的に非伸縮性を有する。この例では、押圧カフ１４１は、伸縮可能な２枚のポリウレタンシートを厚さ方向に対向させ、それらの周縁部を溶着して、流体袋として構成されている。電極１３１は、押圧カフ１４１の内周面に配置されている。押圧カフ１４１の内周面は、ベルト１２１の内周面１２１Ａである。
【００４３】
図４は、測定装置１００の制御系のハードウェア構成を例示している。図４に示されるように、測定装置１００の本体１２３には、表示装置１０６、入力装置１０７、及び電極１３２に加えて、制御部１０１、記憶部１０５、加速度センサ１０８、スピーカ１０９、通信インタフェース１１０、電池１１１、信号処理回路１３３、圧力センサ１４２、ポンプ１４３、弁１４４、発振回路１４５、ポンプ駆動回路１４６、及び弁駆動回路１４７が設けられている。電極１３１及び押圧カフ１４１はベルト１２１に設けられている。
【００４４】
制御部１０１は、ＣＰＵ（Central Processing Unit）１０２、ＲＡＭ（Random Access Memory）１０３、ＲＯＭ（Read Only Memory）１０４などを含み、各構成要素を制御する。記憶部１０５は、例えば、半導体メモリ（例えばフラッシュメモリ）などの補助記憶装置であり、制御部１０１で実行されるプログラムや、プログラムを実行するために必要な設定データ、心電図の測定データ、血圧の測定データなどを非一時的に記憶する。記憶部１０５が備える記憶媒体は、コンピュータその他装置、機械等が記録されたプログラムなどの情報を読み取り可能なように、当該プログラムなどの情報を、電気的、磁気的、光学的、機械的又は化学的作用によって蓄積する媒体である。なお、プログラムの一部又は全部はＲＯＭ１０４に記憶されていてもよい。
【００４５】
表示装置１０６は、制御部１０１により制御され、血圧測定結果などの情報を表示する。表示装置１０６は、例えば有機ＥＬ（Electro-Luminescence）ディスプレイである。有機ＥＬディスプレイは、ＯＬＥＤ（Organic Light Emitting Diode）ディスプレイと称されることもある。なお、表示装置１０６は、他の方式の表示装置、例えば、液晶表示装置（ＬＣＤ）であってもよい。
【００４６】
入力装置１０７は、ユーザが測定装置１００に対する指示を入力することを可能にする。入力装置１０７は、ユーザによる操作、例えば測定開始の指示に対応する操作、を受け付ける。入力装置１０７は、例えば複数のプッシュ式ボタンを含む。なお、入力装置１０７は、表示装置１０６の画面上に設けられたタッチパネルであってもよい。
【００４７】
加速度センサ１０８は、例えば、３軸加速度センサであり、互いに直交する３方向の加速度を表す加速度信号を出力する。スピーカ１０９は、制御部１０１から音響信号を供給され、音響信号を音に変換する。
【００４８】
通信インタフェース１１０は、外部装置と通信するためのインタフェースである。通信インタフェース１１０は、例えば、Bluetooth（登録商標）モジュール又はＢＬＥ（Bluetooth Low Energy）モジュールなどの近距離無線モジュールを含み、ユーザが所有する端末装置（例えばスマートフォン）と直接に通信する。通信インタフェース１１０は、近距離無線モジュールに代えて又は追加して、無線ＬＡＮ（Local Area Network）モジュールなどの他の無線モジュールを含んでよい。通信インタフェース１１０は、無線ＬＡＮモジュールを用いて、インターネットなどの通信ネットワークを介して外部装置と通信する。また、通信インタフェース１１０は、マイクロＵＳＢ（Universal Serial Bus）コネクタなどの端子を含んでよく、ＵＳＢケーブルなどのケーブルを介して外部装置と通信してよい。
【００４９】
電池１１１は、本体１２３に収容された各構成要素へ電力を供給する。電池１１１は、例えば充電可能なバッテリである。
【００５０】
信号処理回路１３３は、計装アンプ１３４、ローパスフィルタ（ＬＰＦ）１３５、増幅器１３６、及びアナログデジタル変換器（ＡＤＣ）１３７を含む。計装アンプ１３４は、２つの入力端子を備え、これらの入力端子には電極１３１及び電極１３２がそれぞれ接続される。計装アンプ１３４は、電極１３１の電位及び電極１３２の電位を差動増幅し、電極１３１と電極１３２との間の電位差に応じた電位差信号を生成する。計装アンプ１３４は、電極１３１と電極１３２との間の電位差を表す電位差信号を生成する電位差信号生成部の一例である。電位差信号は、ＬＰＦ１３５により濾波され、増幅器１３６により増幅され、ＡＤＣ１３７によりデジタル信号に変換される。ＬＰＦ１３５は電位差信号に含まれるノイズを除去するためのフィルタの一例である。制御部１０１は、信号処理回路１３３から時系列で出力される電位差信号を心電図として取得する。
【００５１】
ポンプ１４３および弁１４４は配管１４９を介して押圧カフ１４１に接続され、圧力センサ１４２は配管１４８を介して押圧カフ１４１に接続される。なお、配管１４８、１４９は、共通の１本の配管であってもよい。ポンプ１４３は、例えば圧電ポンプであり、押圧カフ１４１内の圧力を増大させるために、配管１４８を通して押圧カフ１４１に流体としての空気を供給する。ポンプ駆動回路１４６は、制御部１０１により制御され、ポンプ１４３を駆動する。弁駆動回路１４７は、制御部１０１により制御され、弁１４４を駆動する。弁１４４が開いた状態では、押圧カフ１４１は大気と連通する。弁１４４は逆止弁の機能を有し、空気が弁１４４を通じて押圧カフ１４１に流入することはない。
【００５２】
圧力センサ１４２は、例えばピエゾ抵抗式圧力センサであり、押圧カフ１４１内の圧力（以下、カフ圧と称することもある）を検出し、カフ圧を表す電気信号を出力する。カフ圧は、例えば、大気圧を基準とした圧力である。発振回路１４５は、圧力センサ１４２からの電気信号に基づいて発振して、電気信号に応じた周波数を有する周波数信号を制御部１０１に出力する。圧力センサ１４２の出力は、押圧カフ１４１の圧力を制御するために、及び、オシロメトリック法によって血圧値（収縮期血圧（ＳＢＰ）と拡張期血圧（ＤＢＰ）とを含む。）を算出するために用いられる。
【００５３】
なお、測定装置１００の具体的なハードウェア構成に関して、実施形態に応じて、適宜、構成要素の省略、置換及び追加が可能である。例えば、制御部１０１は、複数のプロセッサを含んでいてもよい。また、加速度センサ１０８に代えて又は追加して、測定装置１００は、角速度センサを備えていてよい。角速度センサの出力は、ユーザが血圧測定に適した姿勢になったか否かを検出するために使用されることができる。
【００５４】
（ソフトウェア構成）
図５を参照して、測定装置１００のソフトウェア構成の一例を説明する。図５の例では、測定装置１００は、入力部１５１、表示制御部１５２、心電図測定制御部１５３、心電図取得部１５４、血圧測定制御部１５５、血圧値算出部１５６、測定終了検出部１５７、姿勢検出部１５８、報知部１５９、指示部１６０、心電図記憶部１７１、及び血圧値記憶部１７２を備える。入力部１５１、表示制御部１５２、心電図測定制御部１５３、心電図取得部１５４、血圧測定制御部１５５、血圧値算出部１５６、測定終了検出部１５７、姿勢検出部１５８、報知部１５９、及び指示部１６０は、測定装置１００の制御部１０１が記憶部１０５に記憶されたプログラムを実行することによって下記の処理を実行する。制御部１０１がプログラムを実行する際は、制御部１０１は、プログラムをＲＡＭ１０３に展開する。そして、制御部１０１は、ＲＡＭ１０３に展開されたプログラムをＣＰＵ１０２により解釈及び実行して、各構成要素を制御する。心電図記憶部１７１及び血圧値記憶部１７２は記憶部１０５に設けられる。
【００５５】
入力部１５１は、ユーザからの入力を受け付ける。入力部１５１は、ユーザが入力装置１０７に対して行った操作に応じた操作信号を入力装置１０７から受け取り、この操作信号に基づいてユーザが入力した指示の内容を判断する。指示は、例えば、心電図測定の開始を指示するためのもの、血圧測定の開始を指示するためのもの、心電図測定の中止を指示するためのもの、血圧測定の中止を指示するためのもの、測定結果の履歴を閲覧するためのものなどである。例えば、ユーザが心電図測定の開始を指示した場合、入力部１５１は、測定の開始を指示する測定開始指示信号を心電図測定制御部１５３に与える。血圧測定中にユーザが測定の中止を指示した場合、入力部１５１は、測定の中止を指示する測定終了指示信号を血圧測定制御部１５５に与える。
【００５６】
表示制御部１５２は、表示装置１０６を制御し、情報を表示装置１０６に表示させる。例えば、表示制御部１５２は、報知部１５９からメッセージを受け取り、このメッセージを表示装置１０６に表示させる。表示制御部１５２は、指示部１６０からメッセージを受け取り、このメッセージを表示装置１０６に表示させる。表示制御部１５２は、血圧測定後に血圧の測定結果を表示装置１０６に表示させる。
【００５７】
心電図測定制御部１５３は、心電図測定に関連する動作を制御する。心電図測定制御部１５３は、心電図測定を行うために、信号処理回路１３３を駆動する。例えば、心電図測定制御部１５３は、入力部１５１から測定開始指示信号を受け取ると、信号処理回路１３３を駆動する。心電図取得部１５４は、信号処理回路１３３から時系列で出力される電位差信号を心電図として取得し、心電図を時間情報に関連付けて心電図記憶部１７１に記憶させる。
【００５８】
血圧測定制御部１５５は、血圧測定に関連する動作を制御する。血圧測定制御部１５５は、オシロメトリック法による血圧測定を行うために、ポンプ駆動回路１４６及び弁駆動回路１４７を制御する。血圧測定制御部１５５は、弁駆動回路１４７を介して弁１４４を閉状態にし、ポンプ駆動回路１４６を介してポンプ１４３を駆動する。それにより、押圧カフ１４１への空気の供給が開始される。押圧カフ１４１が膨張し、ユーザの左手首が圧迫される。血圧測定制御部１５５は、血圧値算出部１５６による血圧値の算出が完了すると、ポンプ駆動回路１４６を介してポンプ１４３を停止し、弁駆動回路１４７を介して弁１４４を開状態にする。それにより、押圧カフ１４１から空気が排気される。血圧測定制御部１５５は、圧力センサ１４２を用いてカフ圧をモニタする。血圧測定制御部１５５は、血圧値算出部１５６による血圧値の算出が完了する前にカフ圧が上限圧力を超えた場合には、ポンプ駆動回路１４６を介してポンプ１４３を停止し、弁駆動回路１４７を介して弁１４４を開状態にする。上限圧力は、安全性の観点から予め定められる。上限圧力は例えば３００ｍｍＨｇと定められる。
【００５９】
血圧値算出部１５６は、押圧カフ１４１に空気を供給する加圧過程において、圧力センサ１４２から出力される圧力信号に基づいて、オシロメトリック法により血圧値を算出する。血圧値は、収縮期血圧（ＳＢＰ）及び拡張期血圧（ＤＢＰ）を含むが、これに限定されない。血圧値算出部１５６は、算出した血圧値を時間情報に関連付けて血圧値記憶部１７２に記憶させる。血圧値算出部１５６は、血圧値とともに脈拍数を算出することができる。
【００６０】
測定終了検出部１５７は、心電図測定が終了したことを検出する。例えば、測定終了検出部１５７は、心電図測定が開始してから経過した時間を計測する。心電図測定の開始は、例えば、ユーザの右手が電極１３２に接触したタイミングである。ユーザの右手が電極１３２に接触したことは、例えば、信号処理回路１３３から出力される電位差信号に基づいて検出することができる。測定終了検出部１５７は、心電図測定が開始してから所定期間（例えば３０秒）が経過したときに、心電図測定が終了したと判断する。測定終了検出部１５７は、心電図測定が終了したことを通知する通知信号を心電図測定制御部１５３、血圧測定制御部１５５、姿勢検出部１５８、報知部１５９、及び指示部１６０に与える。心電図測定制御部１５３は、測定終了検出部１５７から通知信号を受け取ると、信号処理回路１３３を停止する。これにより、所定期間にわたる心電図が記録される。
【００６１】
なお、測定終了検出部１５７は、心電図測定が開始してから所定期間が経過した後においてユーザが右手を電極１３２から離したときに、心電図測定が終了したと判断してもよい。この場合において、測定終了検出部１５７は、心電図測定が開始してから所定期間が経過したことをユーザに報知するようにしてもよい。また、測定終了検出部１５７は、心電図測定が終了したことを検出したときに通知信号を血圧測定制御部１５５、姿勢検出部１５８、報知部１５９、及び指示部１６０に与え、ユーザが右手を電極１３２から離したときに通知信号を心電図測定制御部１５３に与えるようにしてもよい。これらの場合、ユーザの右手が電極１３２に接触してから右手が電極１３２から離れるまでの期間にわたる心電図が記録される。
【００６２】
姿勢検出部１５８は、加速度センサ１０８から出力される加速度信号に基づいて、ユーザが血圧測定に適した姿勢になったことを検出する。血圧測定に適した姿勢は、例えば、図６に示されるような被測定部位である左手首が心臓と同じ高さにある姿勢である。上述したように、装着状態では本体１２３は左手首の手の甲側の面に位置する。このため、加速度信号に基づいて測定装置１００の本体１２３の動き又は傾きを検出することにより、ユーザが血圧測定に適した姿勢になったか否かを判断することが可能である。再び図５を参照すると、姿勢検出部１５８は、ユーザが血圧測定に適した姿勢になったことを検出すると、ユーザが血圧測定に適した姿勢になったことを表す検出信号を血圧測定制御部１５５及び指示部１６０に与える。血圧測定制御部１５５は、姿勢検出部１５８から検出信号を受け取ると、血圧測定を開始する。言い換えると、血圧測定制御部１５５は、心電図測定が終了したことを測定終了検出部１５７が検出したこと、及びユーザが血圧測定に適した姿勢になったことを姿勢検出部１５８が検出したことに応答して、血圧測定を開始する。
【００６３】
一般に、心臓と被測定部位（この例では左手首）との間の高さの差に応じて、血圧の測定値が本来の値からずれることが知られている。例えば、心臓を基準とした被測定部位の相対的な高さが１０ｃｍである場合には、約８ｍｍＨｇの血圧差が発生する。左手首が心臓と同じ高さにある姿勢で測定を行うことにより、血圧差が発生することがなく、したがって、信頼性の高い測定値を得ることができる。
【００６４】
報知部１５９は、心電図測定が終了したことを測定終了検出部１５７が検出したことに応答して、血圧測定を行うことをユーザに報知する。報知部１５９は、例えば、スピーカ１０９を介してアラート音を発するとともに、「心電図測定が終了しました。続いて血圧測定を開始します。」というメッセージを表示装置１０６に表示させる。報知部１５９はメッセージを表示制御部１５２に与え、表示制御部１５２がメッセージを表示装置１０６に表示させる。メッセージは、音声合成されてスピーカ１０９を介して出力されてもよい。
【００６５】
指示部１６０は、心電図測定が終了してから所定期間（例えば１５秒）が経過するまでに、ユーザが血圧測定に適した姿勢になったことを姿勢検出部１５８が検出しなかったときに、血圧測定に適した姿勢をとるようユーザに指示する。指示部１６０は、測定終了検出部１５７から通知信号を受け取り、心電図測定が終了してから経過した時間を計測する。指示部１６０は、心電図測定が終了してから所定期間が経過するまでに姿勢検出部１５８から検出信号を受け取らなかった場合に、ユーザに指示を行う。指示部１６０は、例えば、スピーカ１０９を介してアラート音を発するとともに、「血圧測定の姿勢をとってください。」というメッセージを表示装置１０６に表示させる。指示部１６０はメッセージを表示制御部１５２に与え、表示制御部１５２がメッセージを表示装置１０６に表示させる。メッセージは、音声合成されてスピーカ１０９を介して出力されてもよい。
【００６６】
なお、本実施形態では、測定装置１００の機能がいずれも汎用のプロセッサによって実現される例について説明している。しかしながら、機能の一部又は全部が１又は複数の専用のプロセッサにより実現されてもよい。
【００６７】
［動作例］
（心電図及び血圧の測定）
図７は、測定装置１００が心電図測定の後に続いて血圧測定を行う際の動作フローを例示する。
【００６８】
図７のステップＳ１１では、測定装置１００の制御部１０１は、ユーザの心電図を測定する。例えば、ユーザが入力装置１０７を通じて心電図測定の開始を指示すると、制御部１０１は、心電図測定制御部１５３として動作して、信号処理回路１３３を駆動する。このとき、制御部１０１は、表示制御部１５２として動作して、右手で電極に触れるよう促すメッセージを表示装置１０６に表示させてよい。そして、制御部１０１は、心電図取得部１５４として動作して、信号処理回路１３３から時系列で出力される、電極１３１と電極１３２との間の電位差に基づいた電位差信号を心電図として取得する。
【００６９】
ステップＳ１２では、制御部１０１は、測定終了検出部１５７として動作して、心電図の測定が終了したことを検出する。例えば、制御部１０１は、心電図測定が開始してから所定期間（例えば３０秒）が経過したときに、心電図測定が終了したと判断し、それから信号処理回路１３３を停止する。
【００７０】
ステップＳ１３では、制御部１０１は、報知部１５９として動作して、血圧測定を行うことをユーザに報知する。例えば、制御部１０１は、スピーカ１０９を介してアラート音を発し、及び／又は、血圧測定を行うことを表すメッセージを表示装置１０６に表示させる。
【００７１】
ステップＳ１４では、制御部１０１は、姿勢検出部１５８として動作して、ユーザが血圧測定に適した姿勢をとったか否かを判定する。心電図測定が終了してから所定期間（例えば１５秒）が経過するまでにユーザが血圧測定に適した姿勢をとらなかった場合には、処理はステップＳ１５に進む。ステップＳ１５では、制御部１０１は、指示部１６０として動作して、血圧測定に適した姿勢をとるようユーザに指示する。例えば、制御部１０１は、スピーカ１０９を通じてアラート音を発するとともに、血圧測定に適した姿勢をとることを促すメッセージを表示装置１０６に表示させる。
【００７２】
ステップＳ１６では、制御部１０１は、姿勢検出部１５８として動作して、ユーザが血圧測定に適した姿勢をとったか否かを判定する。報知を行ってから所定期間（例えば１０秒）が経過するまでにユーザが血圧測定に適した姿勢をとらなかった場合には、血圧測定を行わずに処理が終了となる。
【００７３】
ステップＳ１４又はＳ１６においてユーザが血圧測定に適した姿勢をとったことを制御部１０１が検出した場合には、処理はステップＳ１７に進む。ステップＳ１７では、制御部１０１は、血圧測定制御部１５５及び血圧値算出部１５６として動作して、ユーザの血圧を測定する。血圧測定については図８を参照して後述する。
このようにして、測定装置１００は、心電図測定の後に続いて血圧測定を実行する。
【００７４】
（オシロメトリック法による血圧測定）
図８は、測定装置１００がオシロメトリック法による血圧測定を行う際の動作フローを例示する。制御部１０１は、例えば、ユーザが血圧測定に適した姿勢をとったことに応答して、又は、ユーザが入力装置１０７を介して血圧測定の開始を指示したことに応答して、オシロメトリック法による血圧測定を開始する。
【００７５】
図８のステップＳ２１では、制御部１０１は、血圧測定制御部１５５として動作して、血圧測定のための初期化を行う。例えば、制御部１０１は、処理用メモリ領域を初期化する。さらに、制御部１０１は、弁駆動回路１４７を介して弁１４４を開く。それにより、押圧カフ１４１内の空気が排気される。続いて、制御部１０１は、圧力センサ１４２の現時点の出力値をカフ圧に関する基準値として設定する。
【００７６】
ステップＳ２２では、制御部１０１は、血圧測定制御部１５５として動作して、押圧カフ１４１に加圧する制御を行う。例えば、制御部１０１は、弁駆動回路１４７を介して弁１４４を閉じ、ポンプ駆動回路１４６を介してポンプ１４３を駆動する。それにより、空気が押圧カフ１４１に供給され、押圧カフ１４１が膨張するとともに、図９に示すようにカフ圧Ｐｃが徐々に高まる。制御部１０１は、圧力センサ１４２によりカフ圧Ｐｃをモニタし、動脈容積の変動成分を表す脈波信号Ｐｍを取得する。
【００７７】
図８のステップＳ２３では、制御部１０１は、血圧値算出部１５６として動作して、この時点で取得されている脈波信号Ｐｍに基づいて血圧値（収縮期血圧及び拡張期血圧）の算出を試みる。この時点でデータ不足のために未だ血圧値を算出できない場合は（ステップＳ２４でＮｏ）、カフ圧Ｐｃが上限圧力に達していない限り、ステップＳ２２〜Ｓ２４の処理が繰り返される。
【００７８】
血圧値の算出ができたら（ステップＳ２４でＹｅｓ）、ステップＳ２５では、制御部１０１は、血圧測定制御部１５５として動作して、ポンプ駆動回路１４６を介してポンプ１４３を停止し、弁駆動回路１４７を介して弁１４４を開く。それにより、押圧カフ１４１内の空気が排気される。ステップＳ２６では、制御部１０１は、血圧測定結果を表示装置１０６に表示するとともに、記憶部１０５に記録する。
【００７９】
なお、図７又は図８に示した処理手順は例示に過ぎず、処理手順は適宜変更することが可能である。例えば、図７のステップＳ１５において指示を行ってから所定期間が経過するまでにユーザが血圧測定に適した姿勢をとらなかった場合には、制御部１０１は指示を再度行うようにしてもよい。ステップＳ１４又はＳ１６においてユーザが血圧測定に適した姿勢をとらなかった場合にも、制御部１０１は、ユーザの血圧を測定するようにしてもよい。この場合、例えば、制御部１０１は、ユーザが血圧測定に適した姿勢をとっていなかったことを表す情報を血圧測定結果に付加してよい。また、血圧値の算出は、図８では押圧カフ１４１に空気が供給される加圧過程において実行されるが、押圧カフ１４１内の空気が排気される減圧過程において実行されてもよい。
【００８０】
［効果］
第１の実施形態に係る測定装置１００は、心電図測定が終了したか否かを判定し、心電図測定が終了したと判定した場合に、ユーザが血圧測定に適した姿勢をとったか否かを判定し、ユーザが血圧測定に適した姿勢をとったと判定した場合に、血圧測定を行う。このため、ユーザが血圧測定の開始を指示することなしに、心電図測定が終了した後に血圧測定が行なわれる。それにより、ユーザが心電図測定後に血圧測定をし忘れることを防止することができる。さらに、心電計と血圧計とが一体化されているので、１つのデバイスを装着するだけで心電図と血圧の両方を測定することができ、ユーザにとっての利便性が高い。ユーザが血圧測定に適した姿勢をとった状態で血圧測定が行われるので、血圧測定値の信頼性が高い。
【００８１】
測定装置１００は、心電図測定が終了したことに応答して、血圧測定を行うことをユーザに報知する。それにより、ユーザが血圧測定の開始を把握して血圧測定に適した姿勢をとるようにさせることができる。測定装置１００は、報知後にユーザが血圧測定に適した姿勢をとらなかったときに、血圧測定に適した姿勢をとるようユーザに指示する。それにより、ユーザが血圧測定に適した姿勢をとった状態で血圧測定を行うことができるようになる。その結果、信頼性の高い血圧の測定値を得ることができる。
【００８２】
＜第２の実施形態＞
［構成例］
（ハードウェア構成）
第２の実施形態に係る測定装置は、第１の実施形態に係る測定装置１００のハードウェア構成（図２から図４に示される）と同様のハードウェア構成を有することができる。具体的には、第２の実施形態に係る測定装置は、ＣＰＵ１０２、ＲＡＭ１０３及びＲＯＭ１０４などを備える制御部１０１、記憶部１０５、表示装置１０６、入力装置１０７、加速度センサ１０８、スピーカ１０９、通信インタフェース１１０、電池１１１、ベルト部１２０、電極１３１、電極１３２、信号処理回路１３３、圧力センサ１４２、ポンプ１４３、弁１４４、発振回路１４５、ポンプ駆動回路１４６、並びに弁駆動回路１４７を備える。これらの構成要素については、図２から図４を参照して上述したので、説明を省略する。
【００８３】
（ソフトウェア構成）
図１０を参照して、第２の実施形態に係る測定装置２００のソフトウェア構成の一例を説明する。図１０の例では、測定装置２００は、入力部２５１、表示制御部２５２、心電図測定制御部２５３、心電図取得部２５４、血圧測定制御部２５５、血圧値算出部２５６、測定終了検出部２５７、姿勢検出部２５８、報知部２５９、指示部２６０、接触検出部２６１、心電図記憶部２７１、及び血圧値記憶部２７２を備える。入力部２５１、表示制御部２５２、心電図測定制御部２５３、心電図取得部２５４、血圧測定制御部２５５、血圧値算出部２５６、測定終了検出部２５７、姿勢検出部２５８、報知部２５９、指示部２６０、及び接触検出部２６１は、測定装置２００の制御部１０１が記憶部１０５に記憶されたプログラムを実行することによって下記の処理を実行する。制御部１０１がプログラムを実行する際は、制御部１０１は、プログラムをＲＡＭ１０３に展開する。そして、制御部１０１は、ＲＡＭ１０３に展開されたプログラムをＣＰＵ１０２により解釈及び実行して、各構成要素を制御する。心電図記憶部２７１及び血圧値記憶部２７２は記憶部１０５により実現される。
【００８４】
入力部２５１は、ユーザからの入力を受け付ける。例えば、ユーザが入力装置１０７を操作することで血圧測定の開始を指示した場合、入力部２５１は、測定開始指示信号を血圧測定制御部２５５及び姿勢検出部２５８に与える。心電図測定中にユーザが測定の中止を指示した場合、入力部２５１は、測定終了指示信号を心電図測定制御部２５３に与える。
【００８５】
表示制御部２５２は、表示装置１０６を制御する。例えば、表示制御部２５２は、報知部２５９からメッセージを受け取り、このメッセージを表示装置１０６に表示させる。表示制御部２５２は、指示部２６０からメッセージを受け取り、このメッセージを表示装置１０６に表示させる。表示制御部２５２は、血圧測定後に血圧の測定結果を表示装置１０６に表示させる。
【００８６】
心電図測定制御部２５３は、心電図測定に関連する動作を制御する。心電図測定制御部２５３は、心電図測定を行うために、信号処理回路１３３を駆動する。心電図取得部２５４は、信号処理回路１３３から時系列で出力される電位差信号を心電図として取得し、心電図を時間情報に関連付けて心電図記憶部２７１に記憶させる。
【００８７】
姿勢検出部２５８は、第１の実施形態の姿勢検出部１５８（図５）と同様にして、ユーザが血圧測定に適した姿勢になったことを検出する。姿勢検出部２５８は、ユーザが血圧測定に適した姿勢になったことを検出すると、ユーザが血圧測定に適した姿勢になったことを表す検出信号を血圧測定制御部２５５に与える。
【００８８】
血圧測定制御部２５５は、血圧測定に関連する動作を制御する。血圧測定制御部２５５は、オシロメトリック法による血圧測定を行うために、ポンプ駆動回路１４６及び弁駆動回路１４７を制御する。例えば、血圧測定制御部２５５は、入力部２５１から測定開始指示信号を受け取ると、血圧測定を開始する。具体的には、血圧測定制御部２５５は、血圧測定のための初期化を行う。そして、血圧測定制御部２５５は、姿勢検出部２５８から検出信号を受け取ると、弁駆動回路１４７を介して弁１４４を閉状態にし、ポンプ駆動回路１４６を介してポンプ１４３を駆動する。血圧測定制御部２５５は、第１の実施形態の血圧測定制御部１５５（図５）と同様にして血圧測定を行う。このため、血圧測定についての具体的な説明は省略する。血圧値算出部２５６は、第１の実施形態の血圧値算出部１５６（図５）と同様の方法で血圧値を算出し、算出した血圧値を時間情報に関連付けて血圧値記憶部２７２に記憶させる。
【００８９】
測定終了検出部２５７は、血圧測定が終了したことを検出する。例えば、測定終了検出部２５７は、血圧値算出部２５６が血圧値を算出した後にカフ圧が圧力閾値（例えば１０ｍｍＨｇ）を下回ったときに、血圧測定が終了したと判断する。測定終了検出部２５７は、血圧値算出部２５６が血圧値を算出できたときに、血圧測定が終了したと判断してもよい。測定終了検出部２５７は、血圧測定が終了したことを通知する通知信号を心電図測定制御部２５３、報知部２５９、指示部２６０、及び接触検出部２６１に与える。心電図測定制御部２５３は、測定終了検出部２５７から通知信号を受けると、信号処理回路１３３を駆動する。
【００９０】
報知部２５９は、測定終了検出部２５７から通知信号を受けると、すなわち、血圧測定が終了したことを測定終了検出部２５７が検出したことに応答して、心電図測定を行うことをユーザに報知する。報知部２５９は、例えば、スピーカ１０９を介してアラート音を発するとともに、「血圧測定が終了しました。続いて心電図測定を開始します。」というメッセージを表示装置１０６に表示させる。報知部２５９はメッセージを表示制御部２５２に与え、表示制御部２５２がメッセージを表示装置１０６に表示させる。メッセージは、音声合成されてスピーカ１０９を介して出力されてもよい。
【００９１】
接触検出部２６１は、ユーザ（具体的にはユーザの右手）が電極１３２に接触したことを検出する。ユーザが電極１３２に接触したことは、例えば、信号処理回路１３３から出力される電位差信号に基づいて検出することができる。接触検出部２６１は、ユーザが電極１３２に接触したことを表す検出信号を心電図測定制御部２５３及び指示部２６０に与える。
【００９２】
指示部２６０は、血圧測定が終了したことを測定終了検出部２５７が検出してから所定期間（例えば１５秒）が経過するまでに、ユーザが電極１３２に接触したことを接触検出部２６１が検出しなかったときに、右手で電極１３２に触るようユーザに指示する。指示部２６０は、測定終了検出部２５７から通知信号を受け取り、心電図測定が終了してから経過した時間を計測する。指示部２６０は、血圧測定が終了してから所定期間が経過するまでに、接触検出部２６１から検出信号を受け取らなかった場合に、ユーザに指示を行う。指示部２６０は、例えば、スピーカ１０９を介してアラート音を発するとともに、「右手の指で電極に触れてください」というメッセージを表示装置１０６に表示させる。具体的には、指示部２６０はメッセージを表示制御部２５２に与え、表示制御部２５２がメッセージを表示装置１０６に表示させる。メッセージは、音声合成されてスピーカ１０９を介して出力されてもよい。
【００９３】
なお、本実施形態では、測定装置１００の機能がいずれも汎用のプロセッサによって実現される例について説明している。しかしながら、機能の一部又は全部が１又は複数の専用のプロセッサにより実現されてもよい。
【００９４】
［動作例］
図１１は、測定装置１００が血圧測定の後に続いて心電図測定を行う際の動作フローを例示する。
【００９５】
図１１のステップＳ３１では、測定装置２００の制御部１０１は、ユーザの血圧を測定する。例えば、ユーザが入力装置１０７を通じて測定開始を指示すると、制御部１０１は、姿勢検出部１５８として動作して、ユーザが血圧測定に適した姿勢をとったか否かを判定する。ユーザが血圧測定に適した姿勢をとると、制御部１０１は、血圧測定制御部２５５として動作して、オシロメトリック法による血圧測定を行うために、ポンプ駆動回路１４６及び弁駆動回路１４７を制御する。
【００９６】
ステップＳ３２では、制御部１０１は、測定終了検出部２５７として動作して、血圧測定が終了したことを検出する。例えば、制御部１０１は、血圧値を算出した後に、ポンプ駆動回路１４６を介してポンプ１４３を停止し、弁駆動回路１４７を介して弁１４４を開く。これにより、押圧カフ１４１から空気が排出される。制御部１０１は、カフ圧が圧力閾値（例えば１０ｍｍＨｇ）を下回ったときに、血圧測定が終了したと判断する。
【００９７】
ステップＳ３３では、制御部１０１は、報知部２５９として動作して、心電図測定を行うことをユーザに報知する。例えば、制御部１０１は、スピーカ１０９を介してアラート音を発し、及び／又は、心電図測定を行うことを表すメッセージを表示装置１０６に表示させる。ステップＳ３４では、制御部１０１は、心電図測定制御部２５３として動作して、信号処理回路１３３を駆動する。
【００９８】
ステップＳ３５では、制御部１０１は、接触検出部２６１として動作して、ユーザの右手が電極１３２に接触したか否かを判定する。血圧測定が終了してから所定期間（例えば１５秒）が経過するまでにユーザの右手が電極１３２に接触しなかった場合には、処理はステップＳ３６に進む。ステップＳ３６では、制御部１０１は、指示部２６０として動作して、右手で電極１３２に触るようユーザに指示する。例えば、制御部１０１は、スピーカを通じてアラート音を出すとともに、右手で電極１３２に触ることを促すメッセージを表示装置１０６に表示させる。
【００９９】
ステップＳ３７では、制御部１０１は、接触検出部２６１として動作して、ユーザの右手が電極１３２に接触したか否かを判断する。報知を行ってから所定期間（例えば１０秒）が経過するまでにユーザの右手が電極１３２に接触しなかった場合には、処理はステップＳ３９に進む。ステップＳ３９では、制御部１０１は、心電図測定制御部２５３として動作して、信号処理回路１３３を停止する。この場合、心電図測定を行わずに処理が終了となる。
【０１００】
ステップＳ３５又はＳ３７においてユーザの右手が電極１３２に接触したことを制御部１０１が検出した場合には、ステップＳ３８に進む。ステップＳ３８では、制御部１０１は、心電図取得部２５４として動作して、ユーザの心電図を取得する。所定期間（例えば３０秒）にわたって心電図の測定が行われた後に、ステップＳ３９において、制御部１０１は、心電図測定制御部２５３として動作して、信号処理回路１３３を停止する。
【０１０１】
このようにして、測定装置２００は、心電図測定の後に続いて血圧測定を実行する。
【０１０２】
なお、図１１に示した処理手順は例示に過ぎず、処理手順は適宜変更することが可能である。例えば、図１１のステップＳ３６において報知を行ってから所定期間が経過するまでにユーザの右手が電極１３２に接触しなかった場合には、制御部１０１が報知を再度行うようにしてもよい。ステップＳ３４の処理はステップＳ３３の処理の前に実行されてもよい。
【０１０３】
［効果］
第２の実施形態に係る測定装置２００は、血圧測定が終了したか否かを判定し、血圧測定が終了したと判定した場合に、心電図測定を行う。このため、ユーザが心電図測定の開始を指示することなしに、血圧測定が終了した後に心電図測定が行なわれる。それにより、ユーザが血圧測定後に心電図測定をし忘れることを防止することができる。さらに、心電計と血圧計とが一体化されているので、１つのデバイスを装着するだけで心電図と血圧の両方を測定することができ、ユーザにとっての利便性が高い。
【０１０４】
測定装置２００は、血圧測定が終了したことに応答して、心電図測定を行うことをユーザに報知する。それにより、ユーザが心電図測定の開始を把握して右手で電極１３２に触るようにさせることができる。測定装置１００は、報知後にユーザが電極１３２に触らなかったときに、右手で電極１３２に触るようユーザに指示する。それにより、心電図測定をより確実に行うことが可能になる。
【０１０５】
＜変形例＞
なお、この発明は上記実施形態に限定されるものではない。
【０１０６】
例えば、第１の実施形態に係る測定装置１００において、姿勢検出部１５８は削除されてもよい。姿勢検出部１５８が削除される場合、血圧測定制御部１５５は、心電図測定が終了したことを測定終了検出部１５７が検出したことに応答して、血圧測定を開始する。測定装置１００は、心臓を基準とした被測定部位の相対的な高さを検出する高さ検出部をさらに備えてよく、血圧測定値は、高さ検出部によって検出された高さに基づいて補正されてよい。また、ユーザは、血圧測定に適した姿勢をとった後に、血圧測定を開始するためのボタンを押下してもよい。同様に、第２の実施形態に係る測定装置２００において、姿勢検出部２５８は削除されてよい。
【０１０７】
被測定部位は、手首に限定されない。被測定部位は、上腕などの上肢における任意の部位であってよい。上腕は心臓と略同じ高さに位置する。このため、被測定部位が上腕である場合には、ユーザは血圧測定時に図６に示されるような姿勢をとる必要がなくなる。したがって、第１の実施形態に係る測定装置１００において、姿勢検出部１５８、報知部１５９、及び指示部１６０は削除されてよい。さらに、血圧測定値を補正する必要もない。
【０１０８】
要するに本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【０１０９】
［付記］
上記各実施形態の一部または全部は、特許請求の範囲のほか以下の付記に示すように記載することも可能であるが、これに限られない。
【０１１０】
（付記１）
ユーザの心電図を測定する心電図測定部（３０）と、
前記ユーザの血圧を測定する血圧測定部（４０）と、
前記心電図測定部による心電図測定が終了したことを検出する測定終了検出部（５０）と、
前記心電図測定が終了したことを前記測定終了検出部が検出したことに応答して、前記血圧測定部による血圧測定を開始する血圧測定制御部（６０）と、
を備える測定装置（１０）。
【０１１１】
（付記２）
ユーザの心電図を測定する心電図測定部（３０）と、
前記ユーザの血圧を測定する血圧測定部（４０）と、
前記血圧測定部による血圧測定が終了したことを検出する測定終了検出部（２５７）と、
前記血圧測定が終了したことを前記測定終了検出部が検出したことに応答して、前記心電図測定部による心電図測定を開始する心電図測定制御部（２５３）と、
を備える測定装置（２００）。
【符号の説明】
【０１１２】
１０…測定装置
２０…ベルト部
２１…外周面
３０…心電図測定部
３１…電極
３２…電極
３３…心電図生成部
４０…血圧測定部
５０…測定終了検出部
６０…血圧測定制御部
１００…測定装置
１０１…制御部
１０２…ＣＰＵ
１０３…ＲＡＭ
１０４…ＲＯＭ
１０５…記憶部
１０６…表示装置
１０７…入力装置
１０８…加速度センサ
１０９…スピーカ
１１０…通信インタフェース
１１１…電池
１２０…ベルト部
１２１…ベルト
１２２…帯状体
１２３…本体
１２４…三つ折れバックル
１２５…第１の板状部材
１２６…第２の板状部材
１２７，１２８…連結棒
１２９…固定部
１３１…電極
１３２…電極
１３３…信号処理回路
１３４…計装アンプ
１３５…ローパスフィルタ
１３６…増幅器
１３７…アナログデジタル変換器
１４１…押圧カフ
１４２…圧力センサ
１４３…ポンプ
１４４…弁
１４５…発振回路
１４６…ポンプ駆動回路
１４７…弁駆動回路
１４８，１４９…配管
１５１…入力部
１５２…表示制御部
１５３…心電図測定制御部
１５４…心電図取得部
１５５…血圧測定制御部
１５６…血圧値算出部
１５７…測定終了検出部
１５８…姿勢検出部
１５９…報知部
１６０…指示部
１７１…心電図記憶部
１７２…血圧値記憶部
２００…測定装置
２５１…入力部
２５２…表示制御部
２５３…心電図測定制御部
２５４…心電図取得部
２５５…血圧測定制御部
２５６…血圧値算出部
２５７…測定終了検出部
２５８…姿勢検出部
２５９…報知部
２６０…指示部
２６１…接触検出部
２７１…心電図記憶部
２７２…血圧値記憶部
【図１】
2020028364.tif 000003
【図２】
2020028364.tif 000004
【図３】
2020028364.tif 000005
【図４】
2020028364.tif 000006
【図５】
2020028364.tif 000007
【図６】
2020028364.tif 000008
【図７】
2020028364.tif 000009
【図８】
2020028364.tif 000010
【図９】
2020028364.tif 000011
【図１０】
2020028364.tif 000012
【図１１】
2020028364.tif 000013